(57)【特許請求の範囲】
【請求項１】
本体部と、
該本体部の前面に設けられたフロントパネルと、
該フロントパネルを前記本体部に取り付ける取付手段と、
前記本体部の前面を閉じた状態で前記フロントパネルを前記本体部に固定する固定手段と、
前記本体部の側面に位置する側面部と、該側面部の端縁部に接続されて前記本体部の前面に位置する前面部とを有するサイドパネルと
を備えたディスペンサであって、
該取付手段は、
前記フロントパネルに設けられた少なくとも１つのフックと、
前記本体部に設けられ、前記フックが係合するコネクタ部と
を備え、
前記固定手段を解除すると、前記フックと前記コネクタ部とが係合した状態で前記フロントパネルを前記ディスペンサの前方に向かって傾けることができると共に、前記フロントパネルが傾いた状態を維持することができ、
前記前面部の端縁部には、該端縁部に対して凹んだ少なくとも１つの切欠部が設けられ、
前記フロントパネルは側面部を備え、該フロントパネルの側面部の端縁部には、該端縁部に対して突出した少なくとも１つの突出部が設けられ、
前記フロントパネルが前記本体部の前面を閉じた状態で、前記フロントパネルの側面部の端縁部が前記前面部に接すると共に前記突出部が前記切欠部に挿入され、該突出部と該切欠部との間に隙間が存在するディスペンサ。
【請求項２】
前記フックは、
前記フロントパネルに取り付けるための取付片と、
該取付片の端部に接続されて前記コネクタ部の頂部に当接する当接片と、
該当接片の端部に接続された係合片であって、該係合片の端部が前記コネクタ部の側面部に当接する係合片と
を備える、請求項１に記載のディスペンサ。
【請求項３】
前記フロントパネルは、
上面部と、
該上面部よりも下方に設けられた仕切り板と
を備える、請求項１または２に記載のディスペンサ。
【請求項４】
前記仕切り板は、前記ディスペンサの前方に向かって下方に傾斜している、請求項３に記載のディスペンサ。
【発明の詳細な説明】
【技術分野】
【０００１】
この発明は、ディスペンサに係り、特に、ディスペンサの前面に設けられたフロントパネルに関する。
【背景技術】
【０００２】
特許文献１に記載された従来のディスペンサは、その前面に、水平方向に開閉可能なパネルが設けられ、その背後にさらに、内部の機器を隔離するカバー部が設けられている。例えば、メンテナンスの際には、パネルを開いた後、カバー部を取り外すことにより、ディスペンサの正面から内部の機器が見えるようになる。
【先行技術文献】
【特許文献】
【０００３】
【特許文献１】特開２００９−９７７８０号公報
【発明の概要】
【発明が解決しようとする課題】
【０００４】
しかしながら、カバー部には、内部の機器に接続されたリード線がつながっているためカバー部を取り外しにくく、カバー部を取り外す際にリード線に無理な力が加わってしまい損傷してしまうおそれがあるといった問題点があった。
【０００５】
この発明はこのような問題点を解決するためになされたもので、簡単に取り外すことのできるフロントパネルを備えたディスペンサを提供することを目的とする。
【課題を解決するための手段】
【０００６】
この発明に係るディスペンサは、本体部と、本体部の前面に設けられたフロントパネルと、フロントパネルを本体部に取り付ける取付手段と、本体部の前面を閉じた状態でフロントパネルを本体部に固定する固定手段と、本体部の側面に位置する側面部と、側面部の端縁部に接続されて本体部の前面に位置する前面部とを有するサイドパネルとを備えたディスペンサであって、取付手段は、フロントパネルに設けられた少なくとも１つのフックと、本体部に設けられ、フックが係合するコネクタ部とを備え、固定手段を解除すると、フックとコネクタ部とが係合した状態でフロントパネルをディスペンサの前方に向かって傾けることができると共に、フロントパネルが傾いた状態を維持することができ、前面部の端縁部には、端縁部に対して凹んだ少なくとも１つの切欠部が設けられ、フロントパネルは側面部を備え、フロントパネルの側面部の端縁部には、端縁部に対して突出した少なくとも１つの突出部が設けられ、フロントパネルが本体部の前面を閉じた状態で、フロントパネルの側面部の端縁部が前面部に接すると共に突出部が切欠部に挿入され、突出部と切欠部との間に隙間が存在する。
フックは、フロントパネルに取り付けるための取付片と、取付片の端部に接続されてコネクタ部の頂部に当接する当接片と、当接片の端部に接続された係合片であって、係合片の端部がコネクタ部の側面部に当接する係合片とを備える。
フロントパネルは、上面部と、上面部よりも下方に設けられた仕切り板とを備えてもよい。
仕切り板は、ディスペンサの前方に向かって下方に傾斜してもよい。
【発明の効果】
【０００７】
この発明によれば、固定手段を解除すると、フックとコネクタ部とが係合した状態でフロントパネルを前方に向かって傾けることができ、さらにその傾いた状態を維持することができる。この状態であれば、本体部の内部を見ながらリード線等とフロントパネルとのコネクタを外すことができ、その後、フロントパネルを上方に動かしてコネクタ部からフックを外すことにより、本体部からフロントパネルが取り外されるので、フロントパネルを簡単に取り外すことができる。
【図面の簡単な説明】
【０００８】
【図１】この発明の実施の形態に係るディスペンサの斜視図である。
【図２】この実施の形態に係るディスペンサにおいて、カバー部材が取り外された状態の斜視図である。
【図３】この実施の形態に係るディスペンサのフロントパネルの裏側斜視図である。
【図４】この実施の形態に係るディスペンサのフロントパネルに取り付けられたフックの断面図である。
【図５】この実施の形態に係るディスペンサのフロントパネルの取り付けを説明するために、ディスペンサの一部の部品を取り除いた状態の斜視図である。
【図６】この実施の形態に係るディスペンサの固定フレームの斜視図である。
【図７】この実施の形態に係るディスペンサにおいて、フロントパネルを閉じた状態の断面部分拡大図である。
【図８】この実施の形態に係るディスペンサにおいて、フロントパネルが前方に向かって傾く原理を説明するために、ディスペンサの一部の部品を取り除いた状態の斜視図である。
【図９】この発明の実施の形態に係るディスペンサの斜視図である。
【発明を実施するための形態】
【０００９】
以下、この発明の実施の形態を添付図面に基づいて説明する。
図１に示されるように、ディスペンサ１は、本体部１０と、本体部１０内に格納された製氷機や飲料冷却機構等の内部機器１１とを有し、飲料及び氷片の少なくとも一方を注出するものである。飲料には、例えばお茶、ジュース、スープ等が含まれる。尚、この実施の形態では、「前方」及び「後方」はそれぞれ、ディスペンサ１を基準にして、ディスペンサ１の裏面側から正面側に向かう方向を「前方」とすると共にディスペンサ１の正面側から裏面側に向かう方向を「後方」とする。
【００１０】
本体部１０の前面の上部にはフロントパネル２が設けられており、フロントパネル２には、カバー部材３が着脱自在に取付けられている。フロントパネル２の下方には、操作レバー４が設けられている。操作レバー４は、例えばコップを押し当てる等の利用者による操作が行われるものであり、操作レバー４の操作により、飲料や氷が注出される。本体部１０の前面の下部には、コップからこぼれ落ちる等した飲料や氷を受けるためのドレンパン５が設けられている。
【００１１】
図２に示されるように、フロントパネル２の正面部２ａには、正面部２ａの他の部分に比べて窪んだ格納区画２０が設けられている。格納区画２０内には、ディスペンサ１の動作を制御する制御操作部２１と、飲料や氷が注出される注出部２２と、磁石２３とが配置されている。
【００１２】
カバー部材３は、格納区画２０を覆うようにフロントパネル２に取付けられる。すなわち、制御操作部２１は、フロントパネル２にカバー部材３が取付けられることで、カバー部材３により隠される。制御操作部２１がカバー部材３によって隠されることで、ディスペンサ１の動作設定を利用者が不必要に変更することが回避される。
【００１３】
注出部２２は、飲料注出ノズル２２ａと氷片注出ノズル２２ｂとを含むものであり、利用者による操作レバー４の操作に応じて、飲料及び氷片を注出する。この注出部２２も、上述の制御操作部２１とともにカバー部材３により隠される。
【００１４】
磁石２３は、格納区画２０の上部に配置されている。カバー部材３の背面には、磁石２３に対応する受金３ａが設けられている。磁石２３に受金３ａが吸着されることで、カバー部材３がフロントパネル２に対して固定される。
【００１５】
図３に示されるように、フロントパネル２は、前方に向かって凸状に湾曲した正面部２ａと、正面部２ａの上縁部に接続され後方に向かって延びる上面部２ｂと、正面部２ａの下縁部に接続され後方に向かって延びる下面部２ｃと、正面部２ａの左右の側縁部に接続され後方に向かって延びる左右の側面部２ｄ及び２ｅとを備えている。左右の側面部２ｄ及び２ｅそれぞれの後方縁部２ｄ１及び２ｅ１にはそれぞれ、後方に向かって突出した突出部４３が２つずつ設けられている。
【００１６】
正面部２ａの中央付近には、本体部１０内に格納された内部機器１１（図１または２参照）からの図示しないリード線が接続される操作部２５が設けられている。上面部２ｂのやや下方には、上面部２ｂと平行に仕切り板４０が設けられ、仕切り板４０は、左右の側面部２ｄ及び２ｅに接続されている。仕切り板４０は、上面部２ｂよりもわずかに長く後方に向かって延びている。仕切り板４０の下面には、断面がコの字状の２つの上部ネジ止め部４１が、正面部２ａの裏面から後方に向かって互いに平行に延びると共に仕切り板４０よりも後方に突出するように設けられている。上部ネジ止め部４１には、仕切り板４０よりも後方に突出した部分に、後述するネジ４２（図５または７参照）が挿入される孔４１ａが設けられている。ここで、上部ネジ止め部４１とネジ４２とは、固定手段を構成する。
【００１７】
フロントパネル２の後方側の下端部には、２つのフック５０がネジ４９によって取り付けられている。図４に示されるように、フック５０は、フロントパネル２（図３参照）に取り付けるための取付片５１を有している。取付片５１には、ネジ４９（図３参照）が挿入される孔５２が設けられている。取付片５１の下端部５１ａには、取付片５１と垂直に当接片５３が接続されている。当接片５３の端部５３ａには、当接片５３と鋭角の角度θをなすように係合片５４が接続されている。係合片５４の端部５４ａには、係合片５４と垂直につまみ片５５が接続されている。
【００１８】
図５に示されるように、本体部１０には、フック５０が係合する板状のコネクタ部６０が設けられている。フック５０の当接片５３がコネクタ部６０の頂部６０ａに当接すると共に係合片５４の端部がコネクタ部６０の側面部６０ｂに当接することにより、フック５０がコネクタ部６０に係合される。フック５０のコネクタ部６０に対する係合位置を位置決めするために、フック５０の幅よりもほんのわずかだけ長い間隔をあけて平行に設けられた一対の位置決め部６１，６１がコネクタ部６０の側面部６０ｂから後方に向かって延びるように設けられている。ここで、フック５０と、コネクタ部６０とは、フロントパネル２を本体部１０に取り付けるための取付手段を構成する。
【００１９】
また、本体部１０の上部には、固定フレーム７０が設けられている。固定フレーム７０には、ネジ４２によって上部ネジ止め部４１が固定されている。これにより、フロントパネル２は、ディスペンサ１の前面を閉じた状態で本体部１０に固定される。図６に示されるように、固定フレーム７０には、固定フレーム７０を本体部１０に取り付けたときに水平な状態となる水平面部７１と、水平面部７１に垂直に接続された垂直面部７２とを備えている。水平面部７１には、ネジ４２（図５参照）が挿入される孔７４が設けられている。垂直面部７２は、固定フレーム７０を本体部１０に取り付けたときに、水平面部７１から鉛直方向下向きに延びるような状態になり、その下端部には、一端から他端に向かって傾斜するようにガイド部７３が接続されている。
【００２０】
図７に示されるように、フロントパネル２が本体部１０の前面を閉じた状態で本体部１０に固定されている場合、フロントパネル２の上面部２ｂの後方縁部２ｂ１は、本体部１０のトップパネル８０の前方縁部８０ｂ付近を下方に垂直に折り曲げた折り曲げ部８１に接している。従って、後方縁部２ｂ１と折り曲げ部８１との間には、わずかな隙間８２が存在する。前方縁部８０ｂは、仕切り板４０に接している。これにより、フロントパネル２の正面部２ａ及び上面部２ｂと、仕切り板４０と、折り曲げ部８１とが、コンパートメント８９を形成する。
【００２１】
例えば、利用者が誤ってコップの中の飲料をトップパネル８０の上にこぼしたとすると、飲料の一部が隙間８２を介して、本体部１０とフロントパネル２との間に浸入してしまう。浸入した飲料は、折り曲げ部８１に沿って流下し、仕切り板４０に達する。すなわち、浸入した飲料は、コンパートメント８９に少なくとも一時的に溜められる。この実施の形態では、仕切り板４０は、上面部２ｂと平行であるが、前方に向かって下方に傾斜するように設ければ、コンパートメント８９における飲料の貯留性能が向上する。
【００２２】
コンパートメント８９へ溜められた飲料の量が増加すると、飲料の一部が、前方縁部８０ｂと仕切り板４０との間のわずかの隙間を介して、固定フレーム７０の水平面部７１上に落下する。水平面部７１においても一時的に飲料を溜めておくことはできるが、飲料の量が増加すれば、垂直面部７２に沿って流下し、ガイド部７３に達する。ガイド部７３は、一方の端部に向かって傾斜しているので（図６参照）、この傾斜に沿って飲料が流れ、一方の端部から落下する。図示されていないが、この一方の端部の下方に、排水機構を設けておけば、隙間８２を介して浸入した飲料が、内部機器１１や操作部２５（図１参照）を濡らすことなく排水される。これにより、トップパネル８０の上に飲料をこぼしても、内部機器１１や操作部２５が濡れて漏電するのを防止できる。
【００２３】
次に、メンテナンス等で本体部１０の内部を見えるようにするための作業について説明する。
フロントパネル２を取り外して内部機器１１を正面から見えるようにするには、まずトップパネル８０を取り外し、ネジ４２を取り外す（固定手段の解除）。すると、図８に示されるように、フック５０がコネクタ部６０に係合した状態で、フロントパネル２を前方に向かって回動させることができる。フロントパネル２が前方に向かって回動すると、コネクタ部６０の頂部６０ａへのフック５０の当接片５３の当接位置がずれ、最終的に、係合片５４のほぼ全面が側面部６０ｂに接する状態となる。これにより、フロントパネル２は、前方に最大限傾いた状態を維持される。
【００２４】
フロントパネル２が前方に傾いた状態を維持していれば、上方から覗きこむことにより、操作部２５に接続されている図示しないリード線のコネクタを取り外すことができる。リード線のコネクタを取り外したら、フロントパネル２を上方に動かしてコネクタ部６０からフック５０を外すことにより、本体部１０からフロントパネル２が取り外される。
【００２５】
メンテナンス等の作業終了後にフロントパネル２を本体部１０に取り付けるには、この逆の手順を行う。すなわち、フロントパネル２を前方に傾けながら、フック５０を位置決め部６１，６１間でコネクタ部６０に係合させた後、操作部２５にリード線を接続し、フロントパネル２を後方に回動させて本体部１０の前面を閉じる。そして、図５に示されるように、ネジ４２で上部ネジ止め部４１を固定フレーム７０に固定することにより、フロントパネル２が本体部１０の前面を閉じた状態で取り付けられる。
【００２６】
このように、ネジ４２を取り外すと、フック５０とコネクタ部６０とが係合した状態でフロントパネル２を前方に向かって傾けることができ、さらにその傾いた状態を維持することができる。この状態であれば、本体部１０の内部を見ながらリード線等とフロントパネル２とのコネクタを外すことができ、その後、フロントパネル２を上方に動かしてコネクタ部６０からフック５０を外すことにより、本体部１０からフロントパネル２が取り外されるので、フロントパネル２を簡単に取り外すことができる。
【００２７】
図９に示されるように、ディスペンサ１は、本体部１０の側面に位置する側面部９１と、側面部９１の端縁部９１ａに側面部９１とは垂直に接続されて本体部１０の前面に位置する前面部９２とを有するサイドパネル９０を備えている。前面部９２には、その端縁部９２ａに２つの窪んだ切欠部９３が形成されている。フロントパネル２の側面部２ｅの後方縁部２ｅ１は、前面部９２に接しており、側面部２ｅに設けられた２つの突出部４３がそれぞれ、２つの切欠部９３内に挿入されている。突出部４３と切欠部９３との間には、隙間９４が形成されている。尚、図９には示されていないが、フロントパネルの側面部２ｄ側の構成も同じ構成になっている。
【００２８】
サイドパネル９０は、フロントパネル２の側面部２ｄ及び２ｅの後方縁部２ｄ１（図３参照）及び２ｅ１がサイドパネル９０の前面部９２に重なるように接して設けられていることにより、本体部１０に対して前面部９２をネジ固定する必要がなくなる。また、この構成により、サイドパネル９０に必要な強度を下げることができ、従来のディスペンサのように、前面部９２に相当する部分の端縁部をさらにハゼ折りすることが不要となる。さらに、メンテナンス作業者が水平方向に力を加えれば、フロントパネル２及びトップパネル８０を取り外さなくてもサイドパネル９０のみを取り外すことができる。
【符号の説明】
【００２９】
１  ディスペンサ、２  フロントパネル、２ｂ  （フロントパネルの）上面部、２ｄ，２ｅ  （フロントパネルの）側面部、２ｄ１，２ｅ１  （フロントパネルの側面部の）後方縁部［フロントパネルの側面部の端縁部］、１０  本体部、４０  仕切り板、４１  上部ネジ止め部［固定手段］、４２  ネジ［固定手段］、４３  突出部、５０  フック［取付手段］、５１  取付片、５１ａ  （取付片の）端部、５３  当接片、５３ａ  （当接片の）端部、５４  係合片、５４ａ  （係合片の）端部、６０  コネクタ部［取付手段］、６０ａ  （コネクタ部の）頂部、６０ｂ  （コネクタ部の）側面部、９０  サイドパネル、９１  （サイドパネルの）側面部、９１ａ  （サイドパネルの側面部の）端縁部、９２  （サイドパネルの）前面部、９２ａ  （サイドパネルの前面部の）端縁部、９３  切欠部、９４  隙間。
【図１】
0005722109.tif 000002
【図２】
0005722109.tif 000003
【図３】
0005722109.tif 000004
【図４】
0005722109.tif 000005
【図５】
0005722109.tif 000006
【図６】
0005722109.tif 000007
【図７】
0005722109.tif 000008
【図８】
0005722109.tif 000009
【図９】
0005722109.tif 000010